(57)【要約】【課題】貯蔵室内の空きスペースの有効利用を図る場合の操作性／使用性を改善した低温貯蔵庫を提供する。【解決手段】低温貯蔵庫Ｒは、前面に開口する断熱箱体１内に貯蔵室２を形成し、この貯蔵室２内に被貯蔵物を収納し、冷却装置４により低温状態にて貯蔵するものであって、貯蔵室２内を上下に区画する仕切棚１８と、この仕切棚１８を水平状態で昇降移動させる昇降機構２２を備える。昇降機構２２は、断熱箱体１に回動自在に枢支されたメインシャフト２３と、メインシャフトに取り付けられたウォームホイール及びスプロケットと、スプロケットに係合し、且つ、仕切棚に固定されたチェーンと、ウォームホイールに噛み合うウォームギアと、このウォームギアを回転させるためのハンドル２９とを備える。【選択図】図２
2007255793.tif 000002
【特許請求の範囲】
【請求項１】
前面に開口する断熱箱体内に貯蔵室を形成し、この貯蔵室内に被貯蔵物を収納し、冷却装置により低温状態にて貯蔵する低温貯蔵庫において、
前記貯蔵室内を上下に区画する仕切棚と、
該仕切棚を水平状態で昇降移動させる昇降機構とを備えたことを特徴とする低温貯蔵庫。
【請求項２】
前記昇降機構は、前記断熱箱体に回動自在に枢支されたメインシャフトと、該メインシャフトに取り付けられたウォームホイール及びスプロケットと、該スプロケットに係合し、且つ、前記仕切棚に固定されたチェーンと、前記ウォームホイールに噛み合うウォームギアと、該ウォームギアを回転させるためのハンドルとを備えて構成されていることを特徴とする請求項１に記載の低温貯蔵庫。
【請求項３】
前記仕切棚の周囲に設けられ、前記貯蔵室の内面と該貯蔵室の開口を閉塞する扉に摺動可能に当接してシールするシール材と、前記仕切棚の移動範囲よりも下方まで延在する冷気吐出ダクト及び冷気吸込ダクトと、前記貯蔵室の天井に形成された冷気吐出口及び冷気吸込口とを備え、
前記仕切棚は冷気が流通できない構成であると共に、前記冷却装置は、前記冷気吐出ダクトを介して前記仕切棚下方の前記貯蔵室内に冷気を吐出し、前記冷気吸込ダクトを介して吸引するための第１の蒸発器と、前記冷気吐出口から前記仕切棚上方の前記貯蔵室内に冷気を吐出し、前記冷気吸込口から吸引するための第２の蒸発器とを備えたことを特徴とする請求項１又は請求項２に記載の低温貯蔵庫。
【発明の詳細な説明】
【技術分野】
【０００１】
本発明は、前面に開口する断熱箱体内に貯蔵室を形成し、この貯蔵室内に特に、収納袋等に収容された玄米などの被貯蔵物を積載して収納し、冷却装置により低温状態にて貯蔵する低温貯蔵庫に関するものである。
【背景技術】
【０００２】
従来より、玄米などの穀物を比較的長い期間貯蔵する場合、貯蔵環境により被貯蔵物の品質が低下する問題があった。そのため、例えば農家の納屋などには、玄米などの穀物を貯蔵するために低温貯蔵庫が用いられている。係る低温貯蔵庫は、前面に開口する断熱箱体内に貯蔵室を形成し、断熱箱体の前面開口には、当該前面開口を開閉自在に閉塞するための断熱扉が設けられている。
【０００３】
そして、この断熱箱体の上部には、機械室が区画形成され、冷却装置を構成する圧縮機、凝縮器及び凝縮器用送風機などが載置される。そして、貯蔵室内上部には、蒸発器及び蒸発器用送風機が設けられると共に、この蒸発器及び送風機の下方には、仕切板が設けられる。これにより、仕切板と貯蔵室天面との間には冷却室が形成される。仕切板の後方には、開口が形成され、送風機により冷気が仕切板後方から貯蔵室に吐出され、貯蔵室内は、所定の温度／湿度、例えば温度＋１０℃乃至＋１５℃／湿度６０％程度の穀物に適した保存条件に冷却される。これにより、貯蔵室内の底面上に袋に収容された玄米などの被貯蔵物を複数段積載し、通年に渡って適温／適湿環境で貯蔵することができるものであった（例えば、特許文献１参照）。
【特許文献１】特開２００３−１９４４５６号公報
【発明の開示】
【発明が解決しようとする課題】
【０００４】
ここで、通常玄米などの穀物を貯蔵する低温貯蔵庫では、収穫時期に貯蔵室内に多くの収納袋に収容された被貯蔵物としての米等が貯蔵され、月日の経過に伴って被貯蔵物が徐々に取り出される。そのため、徐々に被貯蔵物が取り出され、少なくなった場合、貯蔵室内上部には、空きスペースが形成され、係るスペースを有効に利用できないと云う問題があった。そこで、係る空きスペースを有効に利用するため、従来では前記特許文献１に示されるように、玄米などの穀物の量が減少した場合にはその上方に網棚を架設し、網棚上に飲料などの冷蔵食品や野菜などを収納できるようにしてスペースの有効利用を図っていた。
【０００５】
しかしながら、スペースを有効利用するためには、穀物の量に応じて支柱に対する棚受けの取付位置を変更し、網棚の架設高さを変更しなければならず、棚位置変更作業が煩雑なものとなっていた。また、野菜などを網棚上に収納する場合、貯蔵室内全体がそれに適した温度／湿度（例えば温度＋５℃乃至＋１０℃／湿度８０％程）の保存条件とはなっていないため、乾燥を防ぐためにビニール袋などに入れてから収納しなければならず、使用性も悪いものであった。
【０００６】
本発明は、係る従来の技術的課題を解決するために成されたものであり、貯蔵室内の空きスペースの有効利用を図る場合の操作性／使用性を改善した低温貯蔵庫を提供することを目的とする。
【課題を解決するための手段】
【０００７】
本発明の低温貯蔵庫は、前面に開口する断熱箱体内に貯蔵室を形成し、この貯蔵室内に被貯蔵物を収納し、冷却装置により低温状態にて貯蔵するものであって、貯蔵室内を上下に区画する仕切棚と、この仕切棚を水平状態で昇降移動させる昇降機構とを備えているものである。
【０００８】
請求項２の発明の低温貯蔵庫は、上記において昇降機構は、断熱箱体に回動自在に枢支されたメインシャフトと、このメインシャフトに取り付けられたウォームホイール及びスプロケットと、このスプロケットに係合し、且つ、仕切棚に固定されたチェーンと、ウォームホイールに噛み合うウォームギアと、このウォームギアを回転させるためのハンドルとを備えて構成されているものである。
【０００９】
請求項３の発明の低温貯蔵庫は、上記各発明において仕切棚の周囲に設けられ、貯蔵室の内面とこの貯蔵室の開口を閉塞する扉に摺動可能に当接してシールするシール材と、仕切棚の移動範囲よりも下方まで延在する冷気吐出ダクト及び冷気吸込ダクトと、貯蔵室の天井に形成された冷気吐出口及び冷気吸込口とを備え、仕切棚は冷気が流通できない構成であると共に、冷却装置は、冷気吐出ダクトを介して仕切棚下方の貯蔵室内に冷気を吐出し、冷気吸込ダクトを介して吸引するための第１の蒸発器と、冷気吐出口から仕切棚上方の貯蔵室内に冷気を吐出し、冷気吸込口から吸引するための第２の蒸発器とを備えているものである。
【発明の効果】
【００１０】
本発明では、前面に開口する断熱箱体内に貯蔵室を形成し、この貯蔵室内に被貯蔵物を収納し、冷却装置により低温状態にて貯蔵する低温貯蔵庫において、貯蔵室内を上下に区画する仕切棚と、この仕切棚を水平状態で昇降移動させる昇降機構とを備えているので、貯蔵室内の底面上に積載貯蔵される被貯蔵物の収納量に応じて、昇降機構により仕切棚を昇降させることができるようになる。
【００１１】
即ち、貯蔵室内の底面上に積載貯蔵される被貯蔵物の収納量が多い場合は、昇降機構により仕切棚を上昇させ、被貯蔵物の収納量が少なくなるのに応じて、昇降機構により仕切棚を降下させ、この仕切棚上に物品を載置収納して貯蔵室内上部に形成される空間を有効に利用することができるようになる。これにより、低温貯蔵庫の利便性の向上を図ることができるようになると共に、仕切棚の位置変更も容易となるので、使用性も改善されるものである。
【００１２】
また、請求項２の発明では、上記に加えて昇降機構は、断熱箱体に回動自在に枢支されたメインシャフトと、このメインシャフトに取り付けられたウォームホイール及びスプロケットと、このスプロケットに係合し、且つ、仕切棚に固定されたチェーンと、ウォームホイールに噛み合うウォームギアと、このウォームギアを回転させるためのハンドルとを備えて構成されているので、ウォームホイールとウォームギアとの噛み合いにより、仕切棚がその上に載置された物品の荷重で下がってしまうことが無い。従って、格別なストッパーを設ける必要もなくなる。また、ハンドルを回すだけで仕切棚を昇降させることができるので、操作性も極めて良好なものとなる。
【００１３】
更に、請求項３の発明では、上記各発明に加えて仕切棚の周囲に設けられ、貯蔵室の内面とこの貯蔵室の開口を閉塞する扉に摺動可能に当接してシールするシール材と、仕切棚の移動範囲よりも下方まで延在する冷気吐出ダクト及び冷気吸込ダクトと、貯蔵室の天井に形成された冷気吐出口及び冷気吸込口とを備え、仕切棚は冷気が流通できない構成であると共に、冷却装置は、冷気吐出ダクトを介して仕切棚下方の貯蔵室内に冷気を吐出し、冷気吸込ダクトを介して吸引するための第１の蒸発器と、冷気吐出口から仕切棚上方の貯蔵室内に冷気を吐出し、冷気吸込口から吸引するための第２の蒸発器とを備えているので、昇降する仕切棚の下方と上方とで異なった温度及び／又は湿度の貯蔵環境を構成することができるようになる。
【００１４】
これにより、保存条件の異なる二種類の被貯蔵物を仕切棚下方と仕切棚上方の貯蔵室内でそれらに適した環境にて貯蔵することができるようになり、汎用性と利便性の著しい改善を図ることが可能となるものである。
【発明を実施するための最良の形態】
【００１５】
以下、図面に基づき本発明の一実施形態を詳述する。図１は本発明の低温貯蔵庫Ｒの正面図、図２は断熱扉３を除く低温貯蔵庫Ｒの正面図、図３は低温貯蔵庫Ｒ上部の冷却装置４部分の平断面図、図４は低温貯蔵庫Ｒの貯蔵室２部分の平断面図、図５は低温貯蔵庫Ｒの貯蔵室２内上部の縦断側面図をそれぞれ示している。
【００１６】
実施例の低温貯蔵庫Ｒは、例えば農家の納屋などに設置され、収納袋に収容された玄米などの穀物を貯蔵する穀物貯蔵用の縦型低温貯蔵庫である。低温貯蔵庫Ｒは前面に開口する本体としての断熱箱体１により構成され、この断熱箱体１内に貯蔵室２が形成されている。そして、この貯蔵室２の前面開口は、断熱箱体１の一側にヒンジ５を中心として回動自在に枢支された断熱扉３により開閉自在に閉塞されている。
【００１７】
この断熱箱体１の天井１Ａ上には冷却装置４が設置されている。この冷却装置４は、圧縮機６と、放熱器７と、第１の蒸発器８及び第２の蒸発器９などから冷媒回路が構成されており、両蒸発器８及び９は断熱箱体１の天井に取り付けられた断熱性の冷却箱１１内に収納されている。この場合、第１の蒸発器８は冷却箱１１内に構成された第１の冷却室１２内に設置され、第１の蒸発器８の冷気出口側の第１の冷却室１２内には第１の送風機１３が設けられている。また、第２の蒸発器９は冷却箱１１内に構成された第２の冷却室１４内に設置され、第２の蒸発器９の冷気出口側の第２の冷却室１４内には第２の送風機１６が設けられている。
【００１８】
また、第１の蒸発器８と第２の蒸発器９は例えば冷媒回路に対して所定の電磁弁及び減圧装置（膨張弁、キャピラリチューブなど）を介して並列に接続されており、圧縮機６から吐出された冷媒は放熱器７で放熱した後、分流し、各蒸発器８、９の電磁弁（開放時）を経て減圧装置で減圧される。その後、各蒸発器８、９に流入して蒸発し、そのときに生じる吸熱作用で各蒸発器８、９に通風される空気を冷却する。そして、各蒸発器８、９を出た冷媒は合流した後、圧縮機６に吸引されると云う構成がとられている。前記電磁弁及び減圧装置は独立して制御されるため、各蒸発器８、９によって冷却される空気の温度／湿度は独立して制御可能とされている。尚、１７は放熱器７に対応して設けられ、当該放熱器７と圧縮機６に外気を通風するための凝縮器用送風機である。
【００１９】
一方、貯蔵室２内には当該貯蔵室２内を上下に区画する上下移動可能な仕切棚１８が水平に架設されている。この仕切棚１８は貯蔵室２内の平面寸法より少許小さい寸法を呈した冷気流通ができない断熱板にて構成されており、その周囲にはシール材１９が取り付けられている。このシール材１９は貯蔵室２の内面及び断熱扉３の内面に摺動自在に当接して仕切棚１８とこれら貯蔵室２内面及び断熱扉３内面との間の隙間をシールする。これにより、仕切棚１８より下方の貯蔵室２Ａと仕切棚１８より上方の貯蔵室２Ｂとの間の冷気の流通は遮断される。また、仕切棚１８上の後部及び両側部には貯蔵室２の内面と所定の間隔を存してガード２１が立設されており、当該仕切棚１８上に載置された物品の落下を防止するように構成されている。
【００２０】
また、貯蔵室２の天面２Ｃには昇降機構２２が取り付けられている。この昇降機構２２は、貯蔵室２内の天面２Ｃ直下であって、前後方向の略中央部に位置して左右に渡り、回動自在に架設されたメインシャフト２３と、このメインシャフト２３の中央より向かって左側の位置に取り付けられたウォームホイール２４と、メインシャフト２３の左右端部に取り付けられたスプロケット２６、２６と、両スプロケット２６、２６に係合し、貯蔵室２内の両側で前後方向の略中央部に位置したチェーン２７、２７と、ウォームホイール２４の位置に対応して前後に渡る回動自在のハンドルシャフト２８と、このハンドルシャフト２８の前端に取り付けられたハンドル２９と、ハンドルシャフト２８の後部に取り付けられてウォームホイール２４に噛み合うウォームギア３１などから構成されている。
【００２１】
ハンドルシャフト２８の前部は天面２Ｃに取付板３２にて回動自在に保持されている。ウォームホイール２４は天面２Ｃに取り付けられたギアボックス３３内に収納されており、ハンドルシャフト２８の後部もこのギアボックス３３内に挿入され、ウォームギア３１はギヤボックス３３内に位置している。ハンドルシャフト２８の後部はギアボックス３３前後面の軸受け３４、３４により回動自在に保持されている。
【００２２】
また、後述するようにチェーン２７に加わる仕切棚１８からの荷重は、スプロケット２６、メインシャフト２３、ウォームホイール２４及びウォームギア３１を介してハンドルシャフト２８を後方に引き込む方向の強いスラスト荷重となる。このスラスト荷重でハンドルシャフト２８の軸受け部はギアボックス３３に押し付けられることになり、そのままでは回転させるために多大な力を要するようになる。そこで、ハンドルシャフト２８のギアボックス３３の前面側の位置にはスラストベアリング３６を取り付けてハンドルシャフト２８の回転が軽くなるようにしている。尚、チェーン２７の一端（図５でスプロケット２６から後ろに回された下端部）はギアボックス３３に固定されている。
【００２３】
他方、仕切棚１８の両側に前後方向の略中央部には、ガード２１の外側に位置してアングル板３７、３７が取り付けられており、各アングル板３７、３７の外面には前後に所定間隔を存して対向するローラ３８、３８が上下に一対ずつ計４個取り付けられている。更に、貯蔵室２内の両側面の前後方向の略中央部には上下に渡って（後述するような仕切棚１８の移動範囲に少なくとも渡る）レール３９、３９が取り付けられており、これらレール３９はアングル板３７のローラ３８、３８間に進入し、ローラ３８、３８はレール３９の前後面にそれぞれ滑動自在に当接する。これにより、仕切棚１８が前後方向で傾くことは無くなる。これらアングル板３７、ローラ３８、レール３９も、仕切棚１８を水平移動させるための昇降機構２２の一部を構成することになる。
【００２４】
また、各チェーン２７、２７の他端（図５でスプロケット２６から前に回された下端部）は、保持具４１と３本のピン４２・・によりアングル板３７の内面に固定されている。これにより、仕切棚１８はチェーン２７、２７により水平に吊り下げられ、メインシャフト２３の回転で両スプロケット２６、２６も同期して回転することから、左右方向で傾くことも無い。そして、このような構成により、ハンドル２９を回すと、ハンドルシャフト２８を介してウォームギア３１が回転し、その回転がウォームホイール２４に伝わってメインシャフト２３を介し、スプロケット２６、２６を回転させる。そして、このスプロケット２６、２６の回転でチェーン２７、２７が巻き上げられ、或いは、下げられるので、仕切棚１８は上下に昇降できることになる。
【００２５】
貯蔵室２内の背面には天面から貯蔵室２内の下部まで降下する冷気吐出ダクト部材４４が取り付けられており、内部に構成された冷気吐出ダクト４６の下端は貯蔵室２内に開放し、上端は冷却箱１１内の第１の送風機１３の吐出側の第１の冷却室１２に連通している。また、貯蔵室２内の向かって右側面前部には冷気吸込ダクト部材４７が取り付けられており、内部に構成された冷気吸込ダクト４８の下端も貯蔵室２内に開放し、上端は冷却箱１１内の第１の蒸発器８の冷気流入側の第１の冷却室１２に連通している。尚、仕切棚１８はこれらダクト部材４４、４７を避ける形状を呈しており、シール材１９もこれらダクト部材４４、４７に当接する。
【００２６】
各ダクト部材４４、４７は上述したようなハンドル操作による仕切棚１８の昇降により、当該仕切棚１８が最も低くなった位置（チェーン２７、２７が最も延びた状態）よりも下方まで延在している。これにより、仕切棚１８の位置にかかわらず、冷気吐出ダクト４６と冷気吸込ダクト４８の下端開口は必ず仕切棚１８より下方の貯蔵室２Ａ内に位置していることになる。また、貯蔵室２の天面２Ｃには冷気吐出口５１と冷気吸込口５２が開口形成されており、冷気吐出口５１は冷却箱１１内の第２の送風機１６の吐出側における第２の冷却室１４に連通し、冷気吸込口５２は第２の蒸発器９の冷気流入側の第２の冷却室１４に連通している。
【００２７】
以上の構成で、収納袋に収容された玄米などの穀物Ｇ１（被貯蔵物）を貯蔵室２の底面２Ｄ上に積載して収納する。この穀物Ｇ１の量が図８の如く多い場合には、ハンドル２９を回してウォームギア３１、ウォームホイール２４、メインシャフト２３、スプロケット２６を介し、チェーン２７、２７を引き上げて仕切棚１８を上昇させ、同図の如く貯蔵室２内の上部に位置させる。この状態では仕切棚１８下方の貯蔵室２Ａの容積が大きくなるので、多量の穀物Ｇ１を積載貯蔵することができるようになる。また、仕切棚１８上には少量の収納物、例えば野菜Ｇ２を載置して収納する。
【００２８】
圧縮機６が運転されると前述したように第１及び第２の蒸発器８、９に冷媒が循環されてそれぞれ冷却作用を発揮する。そして、第１の送風機１３が運転されると、第１の蒸発器８と熱交換した冷気は第１の冷却室１２内を図３中実線矢印の如く後方に吐出され、その吐出側にて開口する冷気吐出ダクト４６に流入し、降下して図２に実線矢印で示すように下端の開口から仕切棚１８下方の貯蔵室２Ａ内に吐出される。貯蔵室２Ａ内を循環して穀物Ｇ１を冷却した冷気は、冷気吸込ダクト４８の下端開口から当該ダクト内に流入し、上昇して第１の冷却室１２に帰還し、再び第１の蒸発器８に流入する。図示しない制御装置は貯蔵室２Ａ内の温度／湿度に基づき前述した電磁弁や減圧装置を制御することにより、貯蔵室２Ａ内を穀物Ｇ１に適した所定の温度／湿度、即ち、温度＋１０℃乃至＋１５℃／湿度６０％程の保存条件に維持する。これによって、一年を通じて貯蔵室２Ａ内で穀物Ｇ１をそれに適した環境で良好に貯蔵することができるようになる。
【００２９】
一方、第２の送風機１６が運転されると、第２の蒸発器９と熱交換した冷気は第２の冷却室１４内を図３中破線矢印の如く後方に吐出され、冷気吐出口５１から仕切棚１８上方の貯蔵室２Ｂ内に吐出される。貯蔵室２Ｂ内を循環して野菜Ｇ２を冷却した冷気は、冷気吸込口５２から第２の冷却室１４に帰還し、再び第２の蒸発器９に流入する。図示しない制御装置は貯蔵室２Ｂ内の温度／湿度に基づき前述した電磁弁や減圧装置を制御することにより、貯蔵室２Ｂ内を野菜Ｇ２に適した温度／湿度、即ち、温度＋５℃乃至＋１０℃／湿度８０％程の保存条件に維持する。これによって、一々ビニール袋などに詰めること無く、野菜Ｇ２をそれに適した環境で良好に保存することができるようになる。即ち、保存条件の異なる二種類の物品（穀物Ｇ１と野菜Ｇ２）を仕切棚１８の下方と上方の貯蔵室２Ａ、２Ｂ内でそれらに適した環境にて貯蔵することができるようになり、汎用性と利便性の著しい改善を図ることが可能となる。
【００３０】
一方、図９の如く貯蔵する穀物Ｇ１の量が減少してきた場合には、ハンドル２９を回してウォームギア３１、ウォームホイール２４、メインシャフト２３、スプロケット２６を介し、チェーン２７、２７を下げて仕切棚１８を降下させ、同図の如く貯蔵室２内の中央より少許下に位置させる。この移動の際、アングル板３７のローラ３８・・・はレール３９の前後面を滑動するので、仕切棚１８は傾くことなく、水平状態で降下する（上昇する場合も同様）。この状態では仕切棚１８下方の貯蔵室２Ａの容積は小さくなり、逆に仕切棚１８上方の貯蔵室２Ｂの容積は大きくなるので、多量の野菜Ｇ２を仕切棚１８上に載置して保存できるようになる。これによって、穀物Ｇ１の量が減少したときの貯蔵室２内上部の有効利用が図られることになる。
【００３１】
この場合、各ダクト部材４４、４７は仕切棚１８を最も低くできる位置より下方まで延在し、開放しているので、仕切棚１８より下方の貯蔵室２Ａへの冷気循環も支障無く行える。また、仕切棚１８上方の貯蔵室２Ｂには同様に冷気吐出口５１と冷気吸込口５２で冷気が循環されるので、仕切棚１８の上下の貯蔵室２Ａ、２Ｂで図８の場合と同様の保存環境が実現されることになる。
【００３２】
また、前述した如くアングル板３７のローラ３８・・・がレール３９の前後面を滑動するので、仕切棚１８は前後方向で傾くことが無く、また、チェーン２７、２７で吊り下げているので、左右方向で傾くことも無い。従って、移動中に仕切棚１８上の野菜Ｇ２が落下することも無い。
【００３３】
特に、ウォームギア３１とウォームホイール２４とが噛み合っているので、ハンドル２９を回さない限り、仕切棚１８が載置された野菜Ｇ２の荷重で下がってしまうことが無い。従って、格別なストッパーを設ける必要もなくなる。また、ハンドル２９を回すだけで仕切棚１８を昇降させることができるので、操作性も極めて良好である。
【図面の簡単な説明】
【００３４】
【図１】本発明の低温貯蔵庫の正面図である。
【図２】断熱扉を除く図１の低温貯蔵庫の正面図である。
【図３】図１の低温貯蔵庫上部の冷却装置部分の平断面図である。
【図４】図１の低温貯蔵庫の貯蔵室部分の平断面図である。
【図５】図１の低温貯蔵庫の貯蔵室内上部の縦断側面図である。
【図６】図１の低温貯蔵庫の仕切棚のアングル板部分の平面図である。
【図７】図１の低温貯蔵庫の仕切棚のアングル板部分の正面図である。
【図８】図１の低温貯蔵庫で仕切棚を上昇させた状態の断熱扉を除く正面図である。
【図９】図１の低温貯蔵庫で仕切棚を降下させた状態の断熱扉を除く正面図である。
【符号の説明】
【００３５】
Ｒ  低温貯蔵庫
１  断熱箱体
２  貯蔵室
３  断熱扉
４  冷却装置
６  圧縮機
７  放熱器
８、９  第１及び第２の蒸発器
１３、１６  第１及び第２の送風機
１８  仕切棚
１９  シール材
２２  昇降機構
２４  ウォームホイール
２６  スプロケット
２７  チェーン
２９  ハンドル
３１  ウォームギア
３７  アングル板
３８  ローラ
３９  レール
４６  冷気吐出ダクト
４８  冷気吸込ダクト
５１  冷気吐出口
５２  冷気吸込口
【図１】
2007255793.tif 000003
【図２】
2007255793.tif 000004
【図３】
2007255793.tif 000005
【図４】
2007255793.tif 000006
【図５】
2007255793.tif 000007
【図６】
2007255793.tif 000008
【図７】
2007255793.tif 000009
【図８】
2007255793.tif 000010
【図９】
2007255793.tif 000011